(57)【要約】
【課題】　餌を与える動物の種類と数に応じて適量の餌を動物に投与すことができ、無駄な餌の投与を防止でき、餌の運搬や保存をし易くできる動物食品用プロポリスを提供すること。
【解決手段】　粉砕した一度も高濃度エタノールアルコールでプロポリスエキスを抽出していない１次プロポリス原塊を高濃度エタノールアルコールで洗浄して得られた２次プロポリス原塊を低濃度エタノールアルコールに浸漬して、この低濃度エタノールアルコールを媒体として２次抽出プロポリスエキスを動物食品用プロポリスとしてアルミニウ厶箔などで形成した包装容器１の容器本体１ａ内に充填し、その状態で運搬や保存を行う。
　餌を与えるときに、開封指示部１ｅを切断して適量の動物食品用プロポリスを包装容器１から取り出す。
【選択図】　図１
0003100384.tif 000002
【実用新案登録請求の範囲】
【請求項１】
　粉砕した１次ロポリス原塊を高濃度アルコールで洗浄して得られた２次プロポリス原塊を低濃度アルコールに浸漬してこの低濃度アルコールを媒体として抽出した２次抽出プロポリスエキスを包装容器に充填したことを特徴とする動物食品用プロポリス。
【請求項２】
　上記包装容器は、フィルム状の合成樹脂材による袋状容器であることを特徴とする請求項１に記載の動物食品用プロポリス。
【請求項３】
　上記包装容器は、上面の開口面の開閉を可能にする蓋を開口端縁に備え、かつ上記開口端縁近傍に半円状に形成された把手を有するバケツであることを特徴とする請求項１に記載の動物食品用プロポリス。
【請求項４】
　上記包装容器は、アルミニウム箔による袋状容器であることを特徴とする請求項１に記載の動物食品用プロポリス。
【請求項５】
　上記包装容器は、上面の開口面の開閉を可能にする蓋を開口端縁に備え、かつ上記開口端縁近傍に形成された半円状の把手を有するバケツであることを特徴とする請求項１に記載の動物食品用プロポリス。
【請求項６】
　粉砕した１次プロポリス原塊を高濃度アルコールで洗浄して得られた２次プロポリス原塊を低濃度アルコールに浸漬してこの低濃度アルコールを媒体として抽出した２次抽出プロポリスエキスをセルロースに吸着させて顆粒状素原料または粒状素原料に調製して包装容器に充填したことを特徴とする動物食品用プロポリス。
【請求項７】
　上記包装容器は、有底筒状で上面に開口部を有するプラスチック材による容器本体と、この容器本体の上記開口部を開閉自在に上記開口部に装着される蓋とを備えることを特徴とする請求項６に記載の動物食品用プロポリス。
【請求項８】
　上記包装容器は、アルミニウム箔による袋状容器であることを特徴とする請求項６に記載の動物食品用プロポリス。
【請求項９】
　上記包装容器は、プラスチック材による有底円筒状の容器本体と，この容器本体の上面に形成され，上記顆粒状素原料または上記粒状素原料を上記容器本体内に充填するための半円形状の注入口と、この注入口を開閉可能となるように上記注入口に形成された半円形状の蓋と、上記容器本体の所定位置に形成され、上記容器本体内に充填された上記顆粒状素原料または上記粒状素原料を取り出すための取り出し口と、上記取り出し口を開閉するために、この取り出し口の前面において上記容器本体の軸方向にスライドするスライド板とを備えることを特徴とする請求項６に記載の動物食品用プロポリス。
【請求項１０】
　上記包装容器は、不織ビニール材による細長い袋状容器であることを特徴とする請求項６に記載の動物食品用プロポリス。
【請求項１１】
　粉砕した１次プロポリス原塊を高濃度アルコールで洗浄して得られた２次プロポリス原塊をＮ（Ｎは正の整数）回低濃度アルコールに浸漬してその都度低濃度アルコールを媒体としてＮ次抽出プロポリスエキスを抽出し、このＮ次抽出プロポリスエキスを抽出して残存するＮ次プロポリス原塊を微粉末に粉砕して包装容器に充填したことを特徴とする動物食品用プロポリス。
【請求項１２】
　上記包装容器は、フィルム状の合成樹脂材による袋状容器であることを特徴とする請求項１１に記載の動物食品用プロポリス。
【請求項１３】
　上記包装容器は、上面の開口面の開閉を可能にする蓋を開口端縁に備え、かつ上記開口端縁近傍に半円状に形成された把手を有するバケツであることを特徴とする請求項１１に記載の口食品用プロポリス。
【請求項１４】
　上記包装容器は、アルミニウム箔による袋状容器であることを特徴とする請求項１１に記載の動物食品用プロポリス。
【請求項１５】
　上記包装容器は、有底筒状で上面に開口部を有するプラスチック材による容器本体と、この容器本体の上記開囗部を開閉自在に上記開口部に装着される蓋とを備えることを特徴とする請求項１１に記載の動物食品用プロポリス。
【考案の詳細な説明】
【技術分野】
【０００１】　この考案は、粉砕した１次プロポリス原塊を高濃度アルコールで洗浄して得られた２次プロポリス原塊（１回目のプロポリスエキス抽出後のプロポリス原塊）を低濃度アルコールに浸漬して低濃度アルコールを媒体として抽出した２次抽出プロポリスエキス（２回目に抽出したプロポリスエキス）、あるいはそれ以上の回数で抽出したプロポリスエキスを包装容器に充填して、運搬や保存が容易にできるとともに、各種動物に供給し易いようにした動物食品用プロポリスに関する。
【背景技術】
【０００２】　プロポリスは、種々の薬的効果を有することが知られており、プロポリスは今や健康食品および医療分野において、大きくクローズアップされている。
　プロポリスは、蜜蜂が樹木の芽や花のつぼみなどから集めた樹脂成分や花粉をとって巣に帰り、それを別の蜜蜂がよく噛んで巣房に添付させたものである。
　このようなプロポリスは、蜜蜂が巣の補修時に六角形の隣接する単房間の隙間を埋め合わせて接着する接着剤として使用するとともに、各単房の内壁面に塗り付けることにより、プロポリスに含まれる揮発成分を巣内の空気と混合させて、巣内に殺菌作用を及ぼし、バクテリヤ、あるいはウイルスが巣内に侵入するのを防止したり、さらには、その含有成分のヤニ（脂）類と蝋類による撥水性で雨滴などの巣への漏水を防止するために、使用しているものと推察される。【０００３】　このようなプロポリスに関する薬的効能は、メカニズム的には、解明されていないが、その知られている効能、作用についてこの考案の出願人の代表者でもある荻野元平著、『「超薬」プロポリス２０年の現実』（高輪出版社発行）の６４ページから７７ページに記載されている効能、作用例の項目だけを引用して列挙すると、以下の通りである。【０００４】　（Ａ）．抗菌、殺菌作用
　（Ｂ）．抗ウイルス作用
　（Ｃ）．鎮痛作用
　（Ｄ）．消炎作用
　（Ｅ）．抗アレルギー、免疫調整作用
　（Ｆ）．組織再生（細胞活性）作用
　（Ｇ）．造血作用
　（Ｈ）．血管強化、血流調整作用
　（Ｉ）．内分泌、代謝改善作用
　（Ｊ）．殺ガン作用
　（Ｋ）．抗ガン剤の副作用軽減作用
　（Ｌ）．活性酸素消去・遺伝子損傷を防御する作用
　（Ｍ）．ストレス緩和作用【０００５】　このような多くの能薬的効果を有するプロポリスを健康食品などに用いるためには、通常プロポリス原塊をアルコール度が高濃度（通常、９５度〜９９．５度）のエタノールに浸漬して、この高濃度のエタノールを媒体として抽出したプロポリスエキスを水に数回滴下して飲用するようにしている。
　このプロポリスエキスは、プロポリス原塊から高濃度のエタノールを媒体として１回で抽出した１次抽出プロポリスエキスである。
　この１次抽出プロポリスエキスを人間が食用した場合に、その含有成分により上記（Ａ）項〜（Ｍ）項に列挙したような効能、作用が比較的早期に得られることがわかっている。【０００６】　しかし、プロポリスは、蜜蜂が作り出す天然の物質であるために、含有成分が必ずしも特定することができず、プロポリスエキスの人間に対する薬的効能、作用は含有成分の分析データでは判断できないということも知られている。
　つまり、プロポリスの良し悪しはユーザや研究者、良識あるメーカが長年追求し、培ってきた経験に裏付けされている。
【考案の開示】
【考案が解決しようとする課題】
【０００７】　一方、上記の薬的効果を有する１次抽出プロポリスエキスを動物の健康を維持するために動物用食品としても適用することも最近試みられている。
　とこが、動物は人間よりも感受性が高く、しかも動物の種類に応じてその感受性が異なることに加えて、同じ動物の種類でも、人間と同様にそれぞれの動物ごとに感受性が異なる。
　このように人間とは感受性が異なる動物に一様に人間の食用に供する１次抽出プロポリスエキスをそのまま餌に混入なとにより動物に与えると、動物は拒食反応を起こして、餌を全く食べなかったり、あるいは動物がその餌を食べても、興奮するなどの悪影響を及ぼすことがある。
　さらに、１次抽出プロポリスエキスは非常に高価なものであり、動物に与えるには、あまりにも不経済でもある。【０００８】　加えて、上記のように、１次抽出プロポリスを動物用食品としての適用を試みられているとはいえ、各種動物にどのように供給するのか、あるいはどのように保存したり，運搬するのかの試みがなされていないものである。
　したがって、動物の大小、あるいは品種に応じて適切な供給量で動物に与えることができないとか、さらに保存量が大雑把になって、残存量が必要以上に多くなり、その保存量に起因して動物用食品の品質劣化を来したり、必要容量に適さない量を容器に収納したりして、運搬に不便であるなどの課題がある。【０００９】　したがって、この考案は、動物食品用プロポリスを包装容器に充填することにより、動物の品種や数に応じて適量を供給でき、動物の食用に供するのに経済的であり、大型動物を含む各種動物の健康維持、飼育の促進に好適であるとともに、大型動物に対しては比較的多量に安価に食用として供給でき、大型動物を含む各種動物の健康維持と飼育増進が可能で、しかも、運搬や保存にも好適となり、上記課題を解決しようとするものである。
【課題を解決するための手段】
【００１０】　この考案は、粉砕した１次ロポリス原塊を高濃度アルコールで洗浄して得られた２次プロポリス原塊を低濃度アルコールに浸漬してこの低濃度アルコールを媒体として抽出した２次抽出プロポリスエキスを動物食品用プロポリスとして包装容器に充填することにより上記課題を解決している。【００１１】　また、この考案は、粉砕した１次プロポリス原塊を高濃度アルコールで洗浄して得られた２次プロポリス原塊を低濃度アルコールに浸漬してこの低濃度アルコールを媒体として抽出した２次抽出プロポリスエキスをセルロースに吸着させて顆粒状素原料または粒状素原料に調製して動物食品用プロポリスとして包装容器に充填することにより上記課題を解決している。【００１２】　さらに、この考案は、粉砕した１次プロポリス原塊を高濃度アルコールで洗浄して得られた２次プロポリス原塊をＮ（Ｎは正の整数）回低濃度アルコールに浸漬してその都度低濃度アルコールを媒体としてＮ次抽出プロポリスエキスを抽出し、このＮ次抽出プロポリスエキスを抽出して残存するＮ次プロポリス原塊を微粉末に粉砕して動物食品用プロポリスとして包装容器に充填することにより上記課題を解決している。
【考案の効果】
【００１３】　上述のように、この考案の動物食品用プロポリスは、粉砕した１次ロポリス原塊を高濃度アルコールで洗浄して得られた２次プロポリス原塊を低濃度アルコールに浸漬してこの低濃度アルコールを媒体として抽出した２次抽出プロポリスエキスを包装容器に充填したので、餌を与える対象動物の種類と数に応じて適切な量を分けて容易に運搬や保存をすることできるとともに、この対象動物に対して適量を取り出して与えることができる。したがって、餌の無駄な消費がなくなり、経済的に有利になる。【００１４】　また、この考案の動物食品用プロポリスは、粉砕した１次プロポリス原塊を高濃度アルコールで洗浄して得られた２次プロポリス原塊を低濃度アルコールに浸漬してこの低濃度アルコールを媒体として抽出した２次抽出プロポリスエキスをセルロースに吸着させて顆粒状素原料または粒状素原料に調製して包装容器に充填したので、顆粒状素原料または粒状素原料を対象動物の種類と数に応じて適切な量を分けて運搬や保存をすることできるとともに、この対象動物に対して適量を取り出して与えることができる。したがって、餌の無駄な消費がなくなり、経済的に有利になる。【００１５】　さらに、この考案の動物食品用プロポリスは、粉砕した１次プロポリス原塊を高濃度アルコールで洗浄して得られた２次プロポリス原塊をＮ（Ｎは正の整数）回低濃度アルコールに浸漬してその都度低濃度アルコールを媒体としてＮ次抽出プロポリスエキスを抽出し、このＮ次抽出プロポリスエキスを抽出して残存するＮ次プロポリス原塊を微粉末に粉砕して包装容器に充填したので、特に大型でかつ多数の動物を対象として餌を与える場合に好適であり、これらの動物に餌を与える量に応じた動物食品用プロポリスの保存と運搬がし易くなるとともに、包装容器から必要とする量だけ取り出すことができるから、動物食品用プロポリスの無駄な消費を防止することができる。
【考案を実施するための最良の形態】
【００１６】　粉砕した１次ロポリス原塊を高濃度アルコールで洗浄して得られた２次プロポリス原塊を低濃度アルコールに浸漬してこの低濃度アルコールを媒体として抽出した２次抽出プロポリスエキスをフィルム状の合成樹脂材などによる袋状容器に充填するようにしているので、餌を与える対象動物の種類と数に応じて適切な量を分けて容易に運搬や保存をすることできるとともに、この対象動物に対して適量を取り出して与えることができ、したがって、餌の無駄な消費がなくなり、運搬や保存の仕方も容易になり、経済的に有利になる。
【実施例】
【００１７】　以下、この考案による動物食品用プロポリスの第１の実施の形態について図面を参照して説明する。この第１の実施の形態では、使用するプロポリス原塊としては、１次プロポリス原塊ではなく、２次プロポリス原塊を使用している。
　この明細書でいう「１次プロポリス原塊」、「２次プロポリス原塊」などの用語について、理解を容易にするためにあらかじめ以下のように定義しておく。【００１８】　まず、「１次プロポリス原塊」は、一度も高濃度アルコールでプロポリスエキスを抽出していない、プロポリス原塊そのものをいう。
　また、「２次プロポリス原塊」は、一度１次プロポリス原塊を高濃度アルコールでプロポリスエキスを抽出して残存されたプロポリス原塊をいう。
　「２次抽出プロポリスエキス」は、２次プロポリス原塊を低濃度エタノールに浸漬して低濃度エタノールを媒体として抽出したプロポリスエキスをいう。【００１９】　さらに、「Ｎ次プロポリス原塊」は、２次プロポリス原塊をＮ回（Ｎは正の整数）低濃度エタノールでプロポリスエキスを抽出して残存したプロポリス原塊をいう。
　「Ｎ次抽出プロポリスエキス」は、Ｎ次プロポリス原塊をＮ回目の低濃度エタノールに浸漬してこの低濃度エタノールを媒体として抽出されたプロポリスエキスをいう。【００２０】　次に、このように定義された用語を用いて、この考案の第１実施の形態について具体的に説明する。この第１実施の形態では、動物の食用に適するように２次抽出プロポリスエキスを得て包装容器に充填したものである。
　すなわち、動物は人間よりも感受性が高いので、動物に人間の食用として供するプロポリスエキスを投与した場合には、その動物特有の感受性の高さに起因する悪影響を及ぼすことを回避するために、上記した２次抽出成分が含まれるプロポリスエキスを得るものである。【００２１】　そこで、あらかじめ粉砕した１次プロポリス原塊を用い、この１次プロポリス原塊を洗浄液として、たとえば高濃度アルコール、すなわち、９０度〜９９．５度の高濃度エタノールであらかじめ洗浄し、その洗浄した後に２次プロポリス原塊が残存する。
　この２次プロポリス原塊は、高濃度エタノールで洗浄することにより、１次抽出成分の抽出済みのものである。
　次に、この２次プロポリス原塊を低濃度アルコール、たとえば６０度程度の低濃度エタノールに所定温度（たとえば、０℃程度以下）、所定時間浸漬して２次抽出プロポリスエキス（液体）を抽出する。【００２２】　この２次抽出プロポリスエキスに含まれる２次抽出成分は、往々にして多くの場合、１次プロポリス原塊を高濃度エタノールで洗浄することにより抽出された１次抽出プロポリスエキスに含まれる１次抽出成分よりも、含有成分によっては、希釈化されている。
　しかし、人間ならびに動物に対する薬的効果が得られるフラボノイドが２次抽出成分に適量含有している。
　この２次抽出成分に含まれるフラボノイドの含有量は１次抽出成分に含まれるフラボノイドよりも希釈化されている場合が間々ある。【００２３】　ここで、１次抽出プロポリスエキスに含有されている１次抽出成分よりも２次抽出成分が減少している例は、上記著書『「超薬」プロポリス２０年の現実』第８９ページに掲載されている「エタノール抽出プロポリス液の１次抽出成分ＶＳ２次抽出成分」の表（株式会社シャブロンのエタノール抽出プロポリス液について財団法人日本食品分析センターによる試験結果）に記載されている。【００２４】　このように、含有成分が１次抽出プロポリスエキスよりも少ない２次抽出プロポリスエキスを人間よりも感受性の高い動物一般に投与した場合に、動物が食欲不振を呈したり、あるいは拒食反応を生じたり、異常発育、胃腸障害、皮膚障害などを生じるといった悪影響を生じることがなく、上記（Ａ）〜（Ｍ）項に列挙したようなプロポリスの効能が得られ、健康的状態で成長期間の短縮化を期すものである。
　成長期間の短縮化により、家畜などの場合、出荷までの餌代の節減化を可能とし、収益率を向上させることができる。【００２５】　上記のような薬的効能を有する２次抽出プロポリスエキスを各種動物に投与するに際して、あらかじめ包装容器に充填しておく。包装容器に充填しておくことにより、２次抽出プロポリスエキスの保存，運搬に非常に好都合になり、特に小動物に投与する場合には小分けにできる包装容器に充填することにより、投与し易く、無駄になることがなく、しかも保存や運搬が容易になり経済的である。
　そこで、この第１実施の形態における２次抽出プロポリスエキスのような液体の場合には、たとえば、図１の斜視図に示すようなアルミニウム箔による袋状の包装容器１（通称「パウチ」と称されている）内に充填する場合が好都合である。【００２６】　この包装容器１は、中央部１ａを空洞にして、その内部に２次抽出プロポリスエキスが充填されるようになっている。
　中央部１ａの底部１ｂは底部の周壁１ｃより数センチメートル高く形成されている。この周壁１ｃにより、包装容器１内に２次抽出プロポリスエキスを充填した状態で周壁１ｃの下端縁を所定箇所に置いて立てた状態で保存したり、あるいは別の容器に収納して持ち運んだりすることができるようになっている。【００２７】　包装容器１の上端縁は、封着されて封着部１ｄが形成されている。これにより、中央部１ａ内に充填された２次抽出プロポリスエキスが包装容器１の外部に漏洩しないようになっている。
　この封着部１ｄの一方の隅角部には点線による開封指示部１ｅが印刷されている。この開封指示部１ｅを図示しない鋏みなどにより切断することよって開封し、内部の２次抽出プロポリスエキスを与える動物の大きさに応じた量を注ぎ出して供用する。【００２８】　この図１の実施の形態で示す包装容器１は、充填容量が、たとえば、３５０ミリリットル程度であるから、比較的小動物の猫や、小形犬あるいは地鶏などを想定しているから、これらの動物に適する最適量を取り出せばよい。
　なお、包装容器１の中央部１ａの所定箇所には、任意の商標や充填容量などを表示すことができる。【００２９】　図２は、包装容器１自体に注ぎ口１ｆを包装容器１と一体的に設けて、２次抽出プロポリスエキスの取り出しを容易にする場合を例示した斜視図である。すなわち、この図２を図１と比較しても明らかなように、図２では、注ぎ口１ｆは封着部１ｄの近傍において、包装容器１の側縁から半円状に突出するように設けられおり、注ぎ口１ｆの先端近傍に点線により開封指示部１ｅと矢印１ｇが示されている。
　これにより、使用者は包装容器１から２次抽出プロポリスエキスを取り出す場合に矢印１ｇの示す方向を見ながら開封指示部１ｅの点線に沿って鋏みなどにより、この開封指示部１ｅを切断することにより、包装容器１を開封する。
　次いで、矢印１ｇの部分を押さえ気味にして注ぎ口１ｆを斜め下方に向け、所定の必要量を注ぎ出せばよい。その他の部分は図１の場合と同様である。【００３０】　また、牛や豚などのような大型動物、あるいは多数の地鶏などに２次抽出プロポリスエキスを投与する場合には、大量の２次抽出プロポリスエキスを充填する包装容器を用いる場合が、運搬、投与、保存などに好都合な場合が多い。
　そこで，図３に示すようなバケツタイプの包装容器２が用いられる。この包装容器２は、１０Ｋｇあるいはそれ以上の容量を充填する場合などに好適である。
　この包装容器２は、上記のように、バケツタイプを成しており、有底筒状の容器本体２ａの上面の開口部を開閉するために、この開口部の周縁に蓋２ｂが嵌合するようになっている。【００３１】　開口部の周縁に半円形状の把手２ｃが取りつけられている。この容器本体２ａに２次抽出プロポリスエキスを充填する場合には、蓋２ｂを容器本体２ａから取り外して容器本体内２ａ内に２次抽出プロポリスエキスを注入し、その注入後に蓋２ｂを容器本体２ａの開口部の周縁に嵌合させる。
　包装容器２を持ち運ぶ場合には、容器本体２ａに蓋２ｂを嵌合させた状態で把手２ｃを持って持ち運べばよい。【００３２】　包装容器２が複数個保存する場合には、包装容器２の蓋２ｂの上に，別の包装容器２を積み重ねるようにして保存、あるいは運搬をすることもできる。
　包装容器２内に充填されている２次抽出プロポリスエキスを大型動物などに投与する場合には、蓋２ｂを容器本体２ａから取り外して，図示しない勺などにより所定量の２次抽出プロポリスエキスを掬い出して、餌あるいは水、などに混入させて投与する。【００３３】　次に、この考案の第２実施の形態について説明する。第２実施の形態では、第１実施の形態で得られた２次抽出プロポリスエキスを動物の肉類に混入させたものである。
　この場合、あらかじめ動物の肉類を加熱処理するとともに、化学的に不純物がない状態で各種動物の嗜好に合うようにした調味処理（化学的に不純物がなく、動物に悪影響を及ぼさないように調味処理を行うものであり、以下に述べる各実施の形態も同様）を施す。
　次いで、この加熱処理および調味処理を施した肉類に２次抽出プロポリスエキスを適量混合させ、缶詰やビン詰などに加工することにより動物食品用プロポリスとしたものである。【００３４】　この缶詰やビン詰などに加工することの外に、上記図１で示したようなアルミニウム箔による包装容器１に収納することもできるとともに、上記図３で示したようなバケツタイプの包装容器２にも収納することができる。
　これらの場合も上記で説明したように、その運搬時や保存時は上記第１実施の形態の場合と同様の要領である。
　この第２実施の形態の場合のように、加熱処理および調味処理を施した動物の肉類に２次抽出プロポリスエキスを混合させた動物食品用プロポリスを動物に投与する場合には、包装容器１、あるいは包装容器２から動物食品用プロポリスを適量取り出して、動物に通常餌を与える要領と全く同様にして与えればよい。
　この第２実施の形態による動物食品用プロポリスを動物に投与することにより、動物は通常の餌を与えた場合と同様に食べ、しかも２次抽出プロポリスエキスが混入されているから、プロポリスの薬的効用が得られるとともに、化学的不純物が混入されていないので、動物に悪影響を与えることなく、動物の健康維持と発育の促進を期待することができる。【００３５】　次に、この考案の第３実施の形態について説明する。この第３実施の形態では、第１実施の形態で得られた２次抽出プロポリスエキスを魚類または貝類などの魚介類に混入させたものである。
　この場合、あらかじめ魚介類を加熱処理するとともに、各種動物の嗜好に適するように化学的に不純物がない状態で調味処理を施す。この処理は上記第２実施の形態の場合と同様である。
　次いで、この加熱処理および調味処理を施した魚介類に２次抽出プロポリスエキスを適量混合させ、缶詰やビン詰などに加工したり、包装容器１、あるいは包装容器２に充填することにより動物食品用プロポリスとしたものである。【００３６】　この第３実施の形態でも、上記第２実施の形態の場合と同様に、缶詰やビン詰などに加工することの外に、上記図１で示したようなアルミニウム箔による包装容器１に収納することもできるとともに、上記図３で示したようなバケツタイプの包装容器２にも収納することができる。
　これらの場合も、その運搬時や保存時、あるいは動物に投与する場合は上記第２実施の形態の場合と同様の要領である。
　この第３実施の形態による動物食品用プロポリスを動物に投与することにより、動物は通常の餌を与えた場合と同様に食べ、しかもプロポリスエキスが混入されているから、プロポリスの薬的効用が得られるとともに、化学的不純物が混入されていないので、第２実施の形態の場合と同様に動物に悪影響を与えることなく、動物の健康維持と発育の促進を期待することができる。【００３７】　次に、この考案の第４実施の形態について説明する。この第４実施の形態では、第１実施の形態で得られた２次抽出プロポリスエキスを上記第２実施の形態における動物の肉類と第３実施の形態で得られた魚介類との２種類の混合食品に混入させたものである。
　すなわち、この第４実施の形態の場合でも、上記第２実施の形態および第３実施の形態の場合と同様に、これらの動物の肉類と魚介類との混合食品に対してあらかじめ加熱処理および調味処理を施してから、２次抽出プロポリスエキスを混入させ、この混合食品を缶詰やビン詰などに加工したり、包装容器１あるいは包装容器２に充填し動物食品用プロポリスとする。【００３８】　このように、包装容器１、あるいは包装容器２内に充填した動物食品用プロポリスを与える対象動物に応じて、包装容器１、あるいは包装容器２から動物食品用プロポリスを適量取り出して上記第２実施の形態の説明で述べたのと同様にして、動物に通常餌を与える要領と全く同様にして与えればよい。
　この場合も、上記各実施の形態の場合と同様に、動物が動物食品用プロポリスを食べた場合に、動物に悪影響を与えることなく、２次抽出プロポリスの薬的効用が得られ、動物の健康維持と発育の促進を期待することができる。
　また、包装容器１、あるいは包装容器２内に充填した動物食品用プロポリスの保存，運搬などの要領は上記各実施の形態の場合と同様であることはいうまでもない。【００３９】　次に、この考案の第５実施の形態について説明する。第５実施の形態では、上記第２実施の形態で得られた動物の肉類、第３実施の形態で得られた魚介類のいずれか一方と、加熱処理と調味処理した野菜類との２者の混合食品に２次抽出プロポリスエキスを混入して、混合食品とし、この混合食品を缶詰やビン詰などに加工して保存できる動物食品用プロポリスとしたり、あるいは包装容器１、包装容器２内に充填して動物食品用プロポリスとしたものである。
　このような包装容器に重点された動物食品用プロポリスを動物に餌として与える対象動物に応じて、これらの包装容器１、包装容器２内から動物食品用プロポリスを取り出して上記第２実施の形態の説明で述べたのと同様にして、動物に通常餌を与える要領と全く同様にして与えればよい。
　この第５実施の形態で得られる動物食品用プロポリスを動物に与えても、上記各実施の形態の場合と同様に、動物に悪影響を与えることなく、２次抽出プロポリスの薬的効用が得られ、動物の健康維持と発育の促進を期待することができる。【００４０】　次に、この考案の第６実施の形態について説明する。この第６実施の形態では、上記第２実施の形態で得られた動物の肉類、第３実施の形態で得られた魚介類と、加熱処理と調味処理した野菜類との３者の混合食品に２次抽出プロポリスエキスを混入して、混合食品としたものを缶詰やビン詰などに加工したり、上記の包装容器１、あるいは包装容器２に充填して動物食品用プロポリスとしたものである。
　このように包装容器に充填した動物食品用プロポリスを動物に与える場合には、餌を与える対象動物に応じて、上記第２実施の形態の説明で述べたのと同様にして、包装容器１あるいは，包装容器２から動物食品用プロポリスを与える対象動物に応じて適量取り出して、この対象動物に通常餌を与える要領と全く同様にして与えればよい。
　このような動物食品用プロポリスを動物に与えることにより、上記各実施の形態の場合と同様に、プロポリスの薬的効用が得られるとともに、動物に悪影響を与えることなく、動物の健康維持と発育の促進を期待することができる。【００４１】　次に、この考案の第７実施の形態について説明する。この第７実施の形態では、上記２次抽出プロポリスエキスをセルロースに吸着させて顆粒状素原料または粒状素原料に調製して包装容器に収納した動物食品用プロポリスとしたものである。
　この場合の適応容器としては、動物食品用プロポリスの形態が顆粒状素原料または粒状素原料であることから，上記缶やビン類、上記図１で示した包装容器１、図３で示した包装容器２の他に、図４，図５で示すような包装容器３も使用することがでいる。
　図４はこの包装容器３の正面側を示す斜視図であり、図５はその背面側を示す斜視図である。【００４２】　これらの図４、図５に示す包装容器３は、容器本体３ａを金属あるいはプラスチック材などにより有底の円筒状に形成されている。
　容器本体３ａの上面半分の領域には、図５より明らかなように半円形の固定蓋３ｂが容器本体３ａと一体的に形成されている。
　また、容器本体３ａの上面の残り半分の領域は開口されて、動物食品用プロポリスの注入口３ｃとなっている。
　この注入口３ｃは開閉蓋３ｄにより矢印Ａ１方向に揺動して開閉可能なように、容器本体３ａの上面の開口端縁に取り付けられている。【００４３】　容器本体３ａにおいて、注入口３ｃの近傍には、嵌合孔３ｅが形成されている。この嵌合孔３ｅに対応するように、開閉蓋３ｄの周縁の中央部には、嵌合突起３ｆがこの開閉蓋３ｄと一体的に形成されている。嵌合突起３ｆは、注入口３ｃを開閉蓋３により閉じたときに、嵌合孔３ｅに嵌合されるようになっている。
　なお、この嵌合孔３ｅは、図５からも明らかなように、容器本体３ａの背面側に位置するようにしている。【００４４】　容器本体１の正面側において、図４からも明らかなように、上部の所定位置に注ぎ口３ｇが開口されている。この注ぎ口３ｇの近傍から容器本体３ａの上端に至るまでスライド溝３ｈが形成されている。
　スライド溝３ｈには、スライド板３ｉが嵌め込まれている。スライド板３ｉはスライド溝３ｈに沿って、すなわち、容器本体１の軸方向に沿ってスライドするようになっている。【００４５】　この場合、スライド板３ｉを容器本体１の上方向にスライドさせると、注ぎ口３ｇが開口され、逆にスライド板３ｉを容器本体１の下方方向にスライドさせると、注ぎ口３ｇはこのスライド板３ｉにより閉塞されるようになっている。
　また、スライド溝３ｈの下端には、ストッパ３ｊが設けられている。ストッパ３ｊは、スライド溝３ｈに沿って下方向にスライドさせたときに、そのストッパとなるものである。【００４６】　このような包装容器３を使用する場合において、上記の顆粒状素原料または粒状素原料に調製して動物食品用プロポリスを容器本体３ａ内に充填する場合には、嵌合突起３ｆを嵌合孔３ｅとの嵌合を解除して開閉蓋３ｄを矢印Ａ１方向に揺動させて注ぎ口３ｃを開く。次いで、この注ぎ口３ｃ内にこの動物食品用プロポリスを充填する。
　動物食品用プロポリスを充填し終わると、開閉蓋３を矢印Ａ１方向（上記とは逆方向）に揺動させて注ぎ口３ｃを閉じるとともに、嵌合突起３ｆを嵌合孔３ｅに嵌合させる。【００４７】　このような顆粒状素原料または粒状素原料に調製して動物食品用プロポリスを小動物に投与する場合には、スライド板３ｉをスライド溝３ｈに沿って容器本体３ａの上方向にスライドさせ、注ぎ口３ｇを容器本体３ａの表面から露出させる。
　次いで、矢印Ａ２方向に容器本体３ａを傾斜させるとともに、所定回数容器本体３ａを振ることにより、所定量の動物食品用プロポリスを取り出して動物に与えることができる。
　動物食品用プロポリスを取り出した後は、スライド板３ｉの下端がストッパ３ｊに当接するまでスライド板３ｉをスライド溝３ｈに沿って下方向にスライドさせ、スライド板３ｉにより注ぎ口３ｇを閉塞させる。
　このような包装容器３は、小型の動物用に適し、動物食品用プロポリスの保存、持ち運び、さらには、餌を与えるための適量取り出しに至便である。【００４８】　このように２次抽出プロポリスエキスをセルロースに吸着させた顆粒状素原料または粒状素原料を動物に適量与えることにより、セルロースの生理的作用が２次抽出プロポリスエキスの含有成分による薬的効果に加わって両者の薬的効果が相乗される。
　したがって、単に２次抽出プロポリスエキスの薬的効果とセルロースの生理作用との和に止まらず、その和＋アルファ（＋α）の薬的効果が得られる。【００４９】　次に、この考案の第８実施の形態について説明する。第８実施の形態では、上記第２実施の形態の場合と同様にしてあらかじめ餌を与える対象動物の種類に対応する肉類を加熱処理ならびに調味処理を施す。
　このような加熱処理ならびに調味処理を施した動物の肉類に２次抽出プロポリスエキスをセルロースに吸着させた顆粒状素原料または粒状素原料を所定量混入させて包装容器に充填した動物食品用プロポリスとしている。【００５０】　この場合の動物食品用プロポリスとしては、肉類に２次抽出プロポリスエキスをセルロースに吸着させた顆粒状素原料または粒状素原料を所定量混入した形態をなす関係上、適用包装容器としては、図１で示した包装容器１、あるいは図３で示した包装容器２などが適当である。
　したがって、動物食品用プロポリスの保存、運搬、あるいは包装容器への動物食品用プロポリスの充填の仕方、包装容器から動物食品用プロポリスの取り出し方なども上記で説明した通りである。
　この動物食品用プロポリスを動物に投与することにより得られる薬的効果は上記第７実施の形態の場合と同様である。【００５１】　次に、この考案の第９実施の形態について説明する。第９実施の形態では、上記第２実施の形態の場合と同様にしてあらかじめ餌を与える対象動物の種類に対応して食用に供する魚介類を加熱処理ならびに調味処理を施す。
　このような加熱処理ならびに調味処理を施した魚介類に２次抽出プロポリスエキスをセルロースに吸着させた顆粒状素原料または粒状素原料を所定量混入させて動物食品用プロポリスとしている。【００５２】　この場合の動物食品用プロポリスとしては、魚介類に２次抽出プロポリスエキスをセルロースに吸着させた顆粒状素原料または粒状素原料を所定量混入した形態をなす関係上、第９実施の形態における適用包装容器も、図１で示した包装容器１、あるいは図３で示した包装容器２などが適当である。
　したがって、動物食品用プロポリスの保存、運搬、あるいは包装容器への動物食品用プロポリスの充填の仕方、包装容器から動物食品用プロポリスの取り出し方なども上記で説明した通りである。
　この動物食品用プロポリスを動物に投与することにより得られる薬的効果は上記第８実施の形態の場合と同様である。【００５３】　次に、この考案の第１０実施の形態について説明する。第１０実施の形態では、上記第８実施の形態の場合と同様の加熱処理と調味処理をした動物の肉類と、第９実施の形態の場合と同様の加熱処理と調味処理をした魚介類との２者の混合食品に上記第７実施の形態で得られた２次抽出プロポリスエキスをセルロースに吸着させた顆粒状素原料または粒状素原料を所定量混入して包装容器に充填した動物食品用プロポリスとしたものである。
　第１０実施の形態における適用包装容器も、図１で示した包装容器１、あるいは図３で示した包装容器２などが適当であり、動物食品用プロポリスの保存、運搬、あるいは包装容器への動物食品用プロポリスの充填の仕方、包装容器から動物食品用プロポリスの取り出し方なども上記で説明した通りである。
　また、この動物食品用プロポリスを動物に投与することにより得られる薬的効果も上記第９実施の形態の場合と同様である。【００５４】　次に、この考案の第１１実施の形態について説明する。第１１実施の形態では、上記第８実施の形態の場合と同様の加熱処理と調味処理をした動物の肉類と、第９実施の形態の場合と同様の加熱処理と調味処理をした魚介類との２者の混合食品に加熱処理および調味処理を施した野菜類との３者の混合食品に上記第７実施の形態で得られた２次抽出プロポリスエキスをセルロースに吸着させた顆粒状素原料または粒状素原料を所定量混入して包装容器に充填して動物食品用プロポリスとしたものである。
　第１１実施の形態における適用包装容器も、図１で示した包装容器１、あるいは図３で示した包装容器２などが適当であり、動物食品用プロポリスの保存、運搬、あるいは包装容器への動物食品用プロポリスの充填の仕方、包装容器から動物食品用プロポリスの取り出し方なども上記で説明した通りである。
　動物食品用プロポリスを動物に投与することにより得られる薬的効果は上記第９実施の形態の場合と同様である。【００５５】　次に、この考案の第１２実施の形態について説明する。第１２実施の形態では、上記第７実施の形態で得られた２次抽出プロポリスエキスをセルロースに吸着させた顆粒状素原料または粒状素原料を所定量ごとにカプセルに収納して、そのカプセルを図６に示すような包装容器４に充填した動物食品用プロポリスとしたものである。
　このようなカプセル状にした動物食品用プロポリスは小型動物に投与する場合に適する。【００５６】　このため、プラスチック材などによる有底筒状の容器本体４ａの上端開口部近傍の外周面にねじ溝（図示せず）を形成するとともに、皿状の蓋４ｂの内周面にもねじ溝を形成している。
　容器本体４ａ内にカプセルを充填する場合には、蓋４ｂを矢印Ａ３方向に回転させて、容器本体４ａを開口し、この容器本体４ａ内にカプセルを充填し、次いで、蓋４ｂのねじ溝と容器本体４ａのねじ溝を螺合させて蓋４ｂを容器本体４ａに固定する。【００５７】　このように、包装容器４内にカプセルを充填することにより、動物食品用プロポリスの運搬、保存が容易になるとともに、動物に投与する場合には、蓋４ｂを矢印Ａ３方向に回転させて、カプセルを適量取り出し、カプセルのまま動物に与えるたけであるから、投与の仕方も簡便である。
　すなわち、カプセルの形態で動物食品用プロポリスそのものを動物に直接投与したり、豚などの家畜の粒状の飼料に混入させて与えることができる。【００５８】　次に、この考案の第１３実施の形態について説明する。第１３実施の形態では、上記第７実施の形態で得られた２次抽出プロポリスエキスをセルロースに吸着させた顆粒状素原料または粒状素原料を所定の大きさで円盤状や、三角状などの任意形状の錠剤の形態に加工して、包装容器に充填した動物食品用プロポリスとしたものである。
　この場合の動物食品用プロポリスは錠剤の形態を成しており、適合する包装容器としては、図３で示した包装容器２、図６で示した包装容器４および図７で示す包装容器５などが該当する。
　図７の平面図に示す包装容器５の場合は、透明な紙やビニールシートなどが用いられ、容器本体５ａは、猫などのような小型動物などに動物食品用プロポリスを投与し易いように、かつ小分けに収納するのに好都合なように、細長い円筒状に形成されている。【００５９】　容器本体５ａ内に所定形状の錠剤の動物食品用プロポリスを充填した後に、容器本体５ａの両端を封着して、封着部５ｃ、５ｄを形成して容器本体５ａを密封している。
　密封された容器本体５ａを開封する場合には、封着部５ｃ、５ｄのいずれか一方に矢印Ａ４方向に切れ目を入れて開封するようになっている。
　この開封をし易いように、かつすべり止め防止のために、封着部５ｃ、５ｄには、縦方向に多数の「ぎざぎざ」が形成されている。
　なお、この封着部５ｃ、５ｄに隣接して容器本体５ａの表面には、表示部５ｅ、５ｆが設けられている。
　この表示部５ｅ、５ｆには、商標や商品名などの表示を行うようになっている。【００６０】　このような細長い円筒状の包装容器５に錠剤の動物食品用プロポリスを充填することにより、上記のごとく小型の動物に小出しにして動物食品用プロポリスを与えることができ、動物食品用プロポリスの無駄を省くことができるるとともに、その保存や運搬にも非常に行い易くなる。
　この第１３実施の形態でも、上記第１２実施の形態場合と同様に、動物食品用プロポリスそのものを動物に直接投与したり、豚などの家畜の粒状の飼料に混入させて与えることができることはいうまでもない。【００６１】　次に、この考案の第１４実施の形態について説明する。第１４実施の形態では、粉砕した１次プロポリス原塊を高濃度アルコールとしての高濃度エタノールで洗浄して得られた２次プロポリス原塊を低濃度エタノールに浸漬して低濃度エタノールを媒体として２次抽出プロポリスエキスを抽出する。
　この２次抽出プロポリスエキスを抽出することにより２次プロポリス原塊が残像する。この２次プロポリス原塊を再度低濃度エタノールに浸漬して低濃度エタノールを媒体として３次抽出プロポリスエキスを抽出する。【００６２】　以下、同様にして３次抽出プロポリスエキスを抽出して残存する３次プロポリス原塊が残像する。この３次プロポリス原塊を再度低濃度エタノールに浸漬して低濃度エタノールを媒体として４次抽出プロポリスエキスを抽出する。
　このように、粉砕した１次プロポリス原塊を高濃度エタノールで洗浄して残存した２次プロポリス原塊をＮ回（Ｎは正の整数）低濃度エタノールに浸漬してその都度低濃度エタノールを媒体としてＮ次抽出プロポリスエキスを抽出する。
　次いで、このＮ次抽出プロポリスエキスを抽出することにより残存するＮ次プロポリス原塊を微粉末に粉砕して、餌を与える対象動物の種類、あるいは対象動物の数に応じて、図１で示した包装容器１、図３で示した包装容器２に充填して動物食品用プロポリスとしたものである。【００６３】　この第１４実施の形態による動物食品用プロポリスは大型動物、例えば、馬、牛、豚などの餌に混入して与えるのに適している。
　これらの大型動物に与える餌の量は大量となり、２次抽出プロポリスエキスが１次抽出プロポリスエキスより低価格とはいえ、通常の大型動物用の食品に比較してかなり高価なものである。【００６４】　しかし、通常は上記のようなＮ次プロポリス原塊は、廃棄処分にするものであるが、これを微粉末に粉砕して動物食品用として大型動物に与えることにより有効利用が可能となる。
　しかも、Ｎ次プロポリス原塊でも、微量のプロポリスの有効成分が含まれており、大量に動物食品用プロポリスとして大型動物に与えることにより、上記の薬的効果が多少でも期待することができ、したがって、Ｎ次プロポリス原塊を動物食品用プロポリスとして有効利用することができる。【００６５】　なお、この考案は、適用対象動物として比内地鶏の外に、動物一般に適用可能であり、犬、猫、小動物、小鳥などのペット、馬、牛、豚などの家畜にも適用できることは言うまでもない。
【産業上の利用可能性】
【００６６】　以上の説明から明らかなように、この考案では、動物の種類、動物の数に応じた包装容器内に粉砕した１次プロポリス原塊を高濃度アルコールで洗浄して抽出した２次抽出プロポリスエキスを動物食品用プロポリスとして充填するようにしているので、動物に与えるときには、動物の種類、数に応じた包装容器から動物食品用プロポリスを適量取り出して投与し、保存する場合や、運搬する場合には、包装容器内に動物食品用プロポリスを充填した状態で保存、運搬することができる。
　したがって、健康食品業界、養蜂業、畜産業や、ペット業界、運送業などに広範囲に利用することができる。
【図面の簡単な説明】
【００６７】
【図１】　この考案による液体状、顆粒状素原料あるいは粒状素原料の動物食品用プロポリスの充填に適用される包装容器を示す斜視図である。
【図２】　この考案による液体状の２次抽出プロポロリスエキス、あるいは２次抽出プロポロリスエキスを少なくとも肉類、魚介類、野菜類１種類以上に混合した動物食品用プロポリスの充填に適用される包装容器を示す斜視図である。
【図３】　この考案による液体状の２次抽出プロポロリスエキスあるい２次抽出プロポロリスエキスをセルロースに吸着させて調製した顆粒状素原料あるいは粒状素原料の動物食品用プロポリスなどを充填するのに好適な包装容器を示す斜視図である。
【図４】　この考案による顆粒状素原料あるいは粒状素原料の動物食品用プロポリスの充填に適用される包装容器の正面側を示す斜視図である。
【図５】　図４の包装容器の背面側を示す斜視図である。
【図６】　この考案による液体状の２次抽出プロポロリスエキスあるい２次抽出プロポロリスエキスをセルロースに吸着させて調製した顆粒状素原料あるいは粒状素原料をカプセルに収納した動物食品用プロポリスなどの充填に適用される包装容器を示す斜視図である。
【図７】　この考案による顆粒状素原料あるいは粒状素原料を所定形状の錠剤の形態をなす動物食品用プロポリスの充填に適用される包装容器を示す平面図である。
【符号の説明】
【００６６】１〜５　包装容器
１ａ　中央部
１ｂ　底部
１ｃ　周壁
１ｄ　封着部
１ｅ　開封指示部
１ｆ，３ｇ　注ぎ口
１ｇ，Ａ１〜Ａ４　矢印
２ａ，３ａ，４ａ，５ａ　容器本体
２ｂ，４ｂ　蓋
２ｃ　把手
３ｂ　固定蓋
３ｃ　注入口
３ｄ　開閉蓋
３ｅ　嵌合孔
３ｆ　嵌合突起
３ｈ　スライド溝
３ｉ　スライド板
３ｊ　ストッパ
５ｂ　動物食品用プロポリス
５ｃ，５ｄ　封着部
５ｅ、５ｆ　表示部
【図１】
0003100384.tif 000003
【図２】
0003100384.tif 000004
【図３】
0003100384.tif 000005
【図４】
0003100384.tif 000006
【図５】
0003100384.tif 000007
【図６】
0003100384.tif 000008
【図７】
0003100384.tif 000009
【手続補正書】
【提出日】平成15年10月8日(2003.10.8)
【手続補正１】
【補正対象書類名】実用新案登録請求の範囲
【補正対象項目名】請求項１
【補正方法】変更
【補正の内容】
【請求項１】
　粉砕した１次プロポリス原塊を高濃度アルコールで洗浄して得られた２次プロポリス原塊を低濃度アルコールに浸漬してこの低濃度アルコールを媒体として抽出した２次抽出プロポリスエキスを、空洞にした中央部の底部をこの底部の周壁より高く形成し、上記中央部の上端縁に封着部を有してなる包装容器の上記中央部に充填したことを特徴とする動物食品用プロポリス。
【手続補正２】
【補正対象書類名】実用新案登録請求の範囲
【補正対象項目名】請求項２
【補正方法】変更
【補正の内容】
【請求項２】
　上記包装容器は、フィルム状の合成樹脂により形成され、上記封着部の近傍に半円状に突出する注ぎ口を上記包装容器と一体的に形成され、かつこの注ぎ口の先端近傍に開封指示部が示されていることを特徴とする請求項１に記載の動物食品用プロポリス。
【手続補正３】
【補正対象書類名】実用新案登録請求の範囲
【補正対象項目名】請求項４
【補正方法】変更
【補正の内容】
【請求項４】
　上記包装容器は、アルミニウム箔により形成され、上記封着部の一方の隅角部に開封指示部が印刷されていることを特徴とする請求項１に記載の動物食品用プロポリス。
【手続補正４】
【補正対象書類名】実用新案登録請求の範囲
【補正対象項目名】請求項１１
【補正方法】変更
【補正の内容】
【請求項１１】
　粉砕した１次プロポリス原塊を高濃度アルコールで洗浄して得られた２次プロポリス原塊をＮ（Ｎは正の整数）回低濃度アルコールに浸漬してその都度低濃度アルコールを媒体としてＮ次抽出プロポリスエキスを抽出し、このＮ次抽出プロポリスエキスを抽出して残存するＮ次プロポリス原塊を微粉末に粉砕し、空洞にした中央部の底部をこの底部の周壁より高く形成し、上記中央部の上端縁に封着部を有してなる包装容器の上記中央部に上記微粉末を充填したことを特徴とする動物食品用プロポリス。
【手続補正５】
【補正対象書類名】実用新案登録請求の範囲
【補正対象項目名】請求項１２
【補正方法】変更
【補正の内容】
【請求項１２】
　上記包装容器は、フィルム状の合成樹脂剤によリ形成され、上記封着部の近傍に半円状に突出する注ぎ口を上記包装容器と一体的に形成され、かつこの注ぎ口の先端近傍に開封指示部が示されていることを特徴とする請求項１１に記載の動物食品用プロポリス。
【手続補正６】
【補正対象書類名】実用新案登録請求の範囲
【補正対象項目名】請求項１４
【補正方法】変更
【補正の内容】
【請求項１４】
　上記包装容器は、アルミニウム箔により形成され、上記封着部の一方の隅角部に開封指示部が印刷されていることを特徴とする請求項１１に記載の動物食品用プロポリス。
【手続補正７】
【補正対象書類名】明細書
【補正対象項目名】０００７
【補正方法】変更
【補正の内容】
【０００７】　一方、上記の薬的効果を有する１次抽出プロポリスエキスを動物の健康を維持するために動物用食品としても適用することも最近試みられている。
　ところが、動物は人間よりも感受性が高く、しかも動物の種類に応じてその感受性が異なることに加えて、同じ動物の種類でも、人間と同様にそれぞれの動物ごとに感受性が異なる。
　このように、人間とは異なる動物に一様に人間の食用に供する１次抽出プロポリスエキスをそのまま餌に混入などにより動物に与えると、動物は拒食反応を起こして、餌を全く食べなかったり、あるいは動物がその餌を食べても、興奮するなどの悪影響を及ぼすことがある。
　さらに、１次抽出プロポリスエキスは非常に高価なものであり、動物に与えるには、あまりにも不経済である。
【手続補正８】
【補正対象書類名】明細書
【補正対象項目名】００１０
【補正方法】変更
【補正の内容】
【００１０】　この考案は、粉砕した１次プロポリス原塊を高濃度アルコールで洗浄して得られた２次プロポリス原塊を低濃度アルコールに浸漬してこの低濃度アルコールを媒体として抽出した２次抽出プロポリスエキスを動物食品用プロポリスとして、空洞にした中央部の底部をこの底部の周壁より高く形成し、上記中央部の上端縁に封着部を有してなる包装容器の上記中央部に充填することにより上記課題を解決している。
【手続補正９】
【補正対象書類名】明細書
【補正対象項目名】００１２
【補正方法】変更
【補正の内容】
【００１２】　さらに、この考案は、粉砕した１次プロポリス原塊を高濃度アルコールで洗浄して得られた２次プロポリス原塊をＮ（Ｎは正の整数）回低濃度アルコールに浸漬してその都度低濃度アルコールを媒体としてＮ次抽出プロポリスエキスを抽出し、このＮ次抽出プロポリスエキスを抽出して残存するＮ次プロポリス原塊を微粉末に粉砕して動物食品用プロポリスとし、空洞にした中央部の底部をこの底部の周壁より高く形成し、上記中央部の上端縁に封着部を有してなる包装容器の上記中央部に上記微粉末を充填することにより上記課題を解決している。
【手続補正１０】
【補正対象書類名】明細書
【補正対象項目名】００１３
【補正方法】変更
【補正の内容】
【００１３】　上述のように、この考案の動物食品用プロポリスは、粉砕した１次プロポリス原塊を高濃度アルコールで洗浄して得られた２次プロポリス原塊を低濃度アルコールに浸漬してこの低濃度アルコールを媒体として抽出した２次抽出プロポリスエキスを、空洞にした中央部の底部をこの底部の周壁より高く形成し、上記中央部の上端縁に封着部を有してなる包装容器の上記中央部に充填したので、餌を与える対象動物の種類と数に応じて適切な量を分けて容易に運搬や保存をすることができるとともに、この対象動物に対して適量を取り出して与えることができる。したがって、餌の無駄な消費がなくなり、経済的に有利になる。
【手続補正１１】
【補正対象書類名】明細書
【補正対象項目名】００１５
【補正方法】変更
【補正の内容】
【００１５】　さらに、この考案の動物食品用プロポリスは、粉砕した１次プロポリス原塊を高濃度アルコールで洗浄して得られた２次プロポリス原塊をＮ（Ｎは正の整数）回低濃度アルコールに浸漬してその都度低濃度アルコールを媒体としてＮ次抽出プロポリスエキスを抽出し、このＮ次抽出プロポリスエキスを抽出して残存するＮ次プロポリス原塊を微粉末に粉砕し、空洞にした中央部の底部をこの底部の周壁より高く形成し、上記中央部の上端縁に封着部を有してなる包装容器の上記中央部に充填したので、特に大型でかつ多数の動物を対象として餌を与える場合に好適であり、これらの動物に餌を与える量に応じた動物食品用プロポリスの保存と運搬がし易くなるとともに、包装容器から必要とする量だけ取り出すことができるから、動物食品用プロポリスの無駄な消費を防止することができる。
【手続補正１２】
【補正対象書類名】明細書
【補正対象項目名】００３０
【補正方法】変更
【補正の内容】
【００３０】　また、牛や豚などのような大型動物、あるいは多数の地鶏などに２次抽出プロポリスエキスを投与する場合には、大量の２次抽出プロポリスエキスを充填する包装容器を用いると、運搬、投与、保存などに好都合な場合が多い。
　そこで、図３に示すようなバケツタイプの包装容器２が用いられる。この包装容器２は、１０Ｋｇあるいはそれ以上の容量を充填する場合などに好適である。
　この包装容器２は、上記のように、バケツタイプを成しており、有底筒状の容器本体２ａの上面の開口部を開閉するように、この開口部の周壁に蓋２ｂが嵌合するようになっている。
【手続補正１３】
【補正対象書類名】明細書
【補正対象項目名】００３９
【補正方法】変更
【補正の内容】
【００３９】　次に、この考案の第５実施の形態について説明する。第５実施の形態では、上記第２実施の形態で得られた動物の肉類、第３実施の形態で得られた魚介類のいずれか一方と、加熱処理と調味処理した野菜類との２者の混合食品に２次抽出プロポリスエキスを混入して、混合食品とし、この混合食品を缶詰やビン詰などに加工して保存できる動物食品用プロポリスとしたり、あるいは包装容器１、包装容器２内に充填して動物食品用プロポリスとしたものである。
　このような包装容器に充填された動物食品用プロポリスを動物に餌として与える対象動物に応じて、これらの包装容器１、包装容器２内から動物食品用プロポリスを取り出して上記第２実施の形態の説明で述べたのと同様にして、動物に通常餌を与える要領と全く同様にして与えればよい。
　この第５実施の形態で得られる動物食品用プロポリスを動物に与えても、上記各実施の形態の場合と同様に、動物に悪影響を与えることなく、２次抽出プロポリスの薬的効用が得られ、動物の健康維持と発育の促進を期待することができる。
【手続補正１４】
【補正対象書類名】明細書
【補正対象項目名】００５６
【補正方法】変更
【補正の内容】
【００５６】　このため、プラスチック材などによる有底筒状の容器本体４ａの上端開口部近傍の外周面にねじ溝（図示せず）を形成するとともに、皿状の蓋４ｂの内周面にもねじ溝を形成している。
　容器本体４ａ内にカプセルを充填する場合には、蓋４ｂを蓋４ｂの上面に示す矢印方向に回転させて、容器本体４ａを開口し、この容器本体４ａ内にカプセルを充填し、次いで、蓋４ｂのねじ溝と容器本体４ａのねじ溝を螺合させて蓋４ｂを容器本体４ａに固定する。
【手続補正１５】
【補正対象書類名】明細書
【補正対象項目名】００５７
【補正方法】変更
【補正の内容】
【００５７】　このように、包装容器４内にカプセルを充填することにより、動物食品用プロポリスの運搬、保存が容易になるとともに、動物に投与する場合には、蓋４ｂを蓋４ｂの上に示す矢印方向に回転させて、カプセルを適量取り出し、カプセルのまま動物に与えるたけであるから、投与の仕方も簡便である。
　すなわち、カプセルの形態で動物食品用プロポリスそのものを動物に直接投与したり、豚などの家畜の粒状の飼料に混入させて与えることができる。